(57)【要約】【課題】排泄時にペットが滑ったり、排泄した尿でペット自身の毛を汚染することが少ないペット用吸収シートを提供することを目的とする。【解決手段】吸水性を有する吸収シート本体２Ａと、吸収シート本体２Ａの上に配置される滑り止めシート８とを有し、滑り止めシート８は、透水孔を有し表面の摩擦抵抗が吸水シート本体２Ａの表面より大きいため、転倒事故を防止できる。さらに、滑り止めシート８を、吸水性が吸水シート本体２Ａの表面よりも小さい材質からなるネット状に形成することによって、ペット６のお尻とその周辺の毛のほとんどは、滑り止めシート８に接触して吸水シート本体２Ａに接触しないため、排泄した尿によってペット６自身が汚染されることが極めて少ない。【選択図】図１
2007319101.tif 000002
【特許請求の範囲】
【請求項１】
吸水性を有する吸収シート本体と、
透水孔を有し表面の摩擦抵抗が前記吸水シート本体の表面より大きく前記吸収シート本体の上に配置される滑り止めシートと
を有するペット用吸収シート。
【請求項２】
前記滑り止めシートを、吸水性が前記吸水シート本体の表面より小さい材料で形成した
請求項１記載のペット用吸収シート。
【請求項３】
前記滑り止めシートを、前記吸収シート本体の表面に一体に設けた
請求項１または請求項２記載のペット用吸収シート。
【請求項４】
前記滑り止めシートを、前記吸収シート本体とは別体に設けた
請求項１または請求項２記載のペット用吸収シート。
【請求項５】
吸水性を有するペット用吸収シート本体の上に配置される滑り止めシートであって、
透水孔を有し表面の摩擦抵抗が前記吸水シート本体の表面より大きい
滑り止めシート。
【請求項６】
吸水性を有する吸収シート本体の表面に、摩擦抵抗が前記吸水シート本体の表面より大きい複数の突部を形成した
ペット用吸収シート。
【請求項７】
水を通さない防水性の裏面シートと透水性の表面シートで吸水材を包んでシート状に形成された吸収シート本体と、
前記裏面シートと前記吸水材の間、または前記吸水材と前記表面シートの間に形成された突部と
を設けたペット用吸収シート。
【発明の詳細な説明】
【技術分野】
【０００１】
本発明はペットの排泄物処理のために使用されるペット用吸収シートに関するものである。
【背景技術】
【０００２】
犬，猫などのペットを室内で飼育または介護をする場合には、図８に示すように室内の床面１にペット用吸収シート２を敷いて排泄させている。ペット用吸収シート２は、図９に示すように水を通さない防水性の裏面シート３と、透水性の表面シート４との間に、吸水材５を挟んでシート状に形成されており、ペット６の排泄した尿は、表面シート４を通過して吸水材５に吸い取られ、床面１を濡らさずに済む。
【特許文献１】特開２００１−３２７２２５号公報
【特許文献２】特開２００５−１９８５９８号公報
【発明の開示】
【発明が解決しようとする課題】
【０００３】
ペットの世界にも高齢化の波が押し寄せている。ペットの脚力は高齢化に伴って弱くなり、さらに足の裏（肉球）の摩擦抵抗も小さくなるため、排泄時にペット用吸収シート２の上でペット６が滑って体を床面１にぶつけたりする転倒事故が発生している。ペット用吸収シート２の上は滑ると学習したペット６が、ペット用吸収シート２の利用を嫌がったりする問題も発生している。
【０００４】
また、図８に図示したペットは毛足が短い種類ものであったが、毛足が長い（１０センチメートル程度から２０数センチメートル程度）種類のペットの場合には、お尻とその周辺の毛が表面シート４に接触して汚れる問題があり、清潔に保つためには、排泄のたびにペット６のお尻とその周辺の毛を、濡れタオルなどで拭き取ってやることが必要である。
【０００５】
本発明は、排泄時にペットが滑ったりしないペット用吸収シートを提供することを目的とする。
また、排泄した尿でペット自身の毛を汚染することが少ないペット用吸収シートを提供することを目的とする。
【課題を解決するための手段】
【０００６】
本発明の請求項１記載のペット用吸収シートは、吸水性を有する吸収シート本体と、透水孔を有し表面の摩擦抵抗が前記吸水シート本体の表面より大きく前記吸収シート本体の上に配置される滑り止めシートとを有することを特徴とする。
【０００７】
本発明の請求項２記載のペット用吸収シートは、請求項１において、前記滑り止めシートを、吸水性が前記吸水シート本体の表面より小さい材料で形成したことを特徴とする。
本発明の請求項３記載のペット用吸収シートは、請求項１または請求項２において、前記滑り止めシートを、前記吸収シート本体の表面に一体に設けたことを特徴とする。
【０００８】
本発明の請求項４記載のペット用吸収シートは、請求項１または請求項２において、前記滑り止めシートを、前記吸収シート本体とは別体に設けたことを特徴とする。
本発明の請求項５記載の滑り止めシートは、吸水性を有するペット用吸収シート本体の上に配置される滑り止めシートであって、透水孔を有し表面の摩擦抵抗が前記吸水シート本体の表面より大きいことを特徴とする。
【０００９】
本発明の請求項６記載のペット用吸収シートは、吸水性を有する吸収シート本体の表面に、摩擦抵抗が前記吸水シート本体の表面より大きい複数の突部を形成したことを特徴とする。
【００１０】
本発明の請求項７記載のペット用吸収シートは、水を通さない防水性の裏面シートと透水性の表面シートで吸水材を包んでシート状に形成された吸収シート本体と、前記裏面シートと前記吸水材の間、または前記吸水材と前記表面シートの間に形成された突部とを設けたことを特徴とする。
【発明の効果】
【００１１】
この構成の吸水シートは、吸収シート本体の上に、透水孔を有し表面の摩擦抵抗が吸水シート本体の表面より大きい滑り止めシートを有しているため、利用するペットの転倒事故を防止することができ、排泄された尿は、滑り止めシートの透水孔を介して吸収シート本体の吸水材に吸水される。
【００１２】
また、吸水性が吸水シート本体の表面より小さい材料で滑り止めシートを形成した場合には、ペット自身の毛が吸収シート本体の表面に接触しないため、排泄した尿で毛を汚染することが少ない。
【００１３】
また、吸収シート本体の表面に滑り止めシートを一体に設けた場合には、迅速に利用が可能な状態にセットできる。
また、吸収シート本体とは別体に滑り止めシートを設けた場合には、吸収シート本体を再利用することによって経済的である。
【発明を実施するための最良の形態】
【００１４】
以下、本発明の各実施の形態を図１〜図７に基づいて説明する。
（実施の形態１）
図１〜図４は本発明の（実施の形態１）を示す。
【００１５】
図１は本発明のペット用吸収シートの使用形態を示している。
このペット用吸収シート７は、図２に示すように吸収シート本体２Ａと、吸収シート本体２Ａの上に配置される滑り止めシート８とを有している。吸収シート本体２Ａは、図３に示すように、水を通さない防水性の裏面シート３と、透水性の表面シート４との間に、吸水材５を挟んでシート状に形成されており、図９で説明したペット用吸収シート２と同じものである。
【００１６】
滑り止めシート８は、透水孔９を有し、表面の摩擦抵抗が吸水シート本体２Ａの表面より大きく形成されている。この実施の形態の滑り止めシート８は、吸収シート本体２Ａとは別体である。具体的には、図４（ａ）に示すようにポリエステル糸などを４ｍｍ〜５ｍｍ□程度の目のネット状に編んだ芯材１０に、塩化ビニル樹脂などの樹脂１１を付けるとともに、芯材１０の目の中央に樹脂１１の付着していない１ｍｍ〜２ｍｍ程度の径の多数の透水孔９を形成して図４（ｂ）に示す表面形状としている。芯材１０に付着させた樹脂１１を発泡させることによって、接触面積が増加してその摩擦係数はさらに大きくなる。
【００１７】
このように形成された滑り止めシート８を、床面１の上に広げた吸水シート本体２Ａの上に載せてから、ペット６を図１のようにペット用吸収シート７の上に誘導することによって、滑り止め機能を有した滑り止めシート８の作用によって、滑り止めシート８の裏面と吸収シート本体２Ａとの間の滑り、ならびに滑り止めシート８の表面とペット６との間の滑り、の何れの滑りもなく、高齢のペット６であってもペット用吸収シート７の上を安全に歩行できる。
【００１８】
このような使用形態において、ペット６が排泄した尿は、滑り止めシート８を介して吸水シート本体２Ａの上に落下する。従来のように、表面が平滑な表面シート４に直接に落下した場合には、尿が飛び跳ねて床面１を濡らすことがあったが、滑り止めシート８は多数の透水孔９が形成されていて表面が凹凸であるため、飛び跳ねて床面１を濡らすことが少ない。
【００１９】
さらに、従来のように表面が平滑な表面シート４に直接に落下した場合には、表面シート４の上を外側に広がりながら、表面シート４を通して時々の位置の吸水材５に吸水されていくが、排尿量が多い場合には、各位置での吸水材５の吸水速度に比べて表面シート４の上での尿の広がり速度が大きく、吸水材５に吸い取られずに床面１へ零れることがあったが、滑り止めシート８は多数の透水孔９が形成されていて表面が凹凸であるため、尿の広がり速度が従来よりも遅くなり、各位置での吸水材５の吸水速度が従来と同じであっても、良好な吸い取り性能を発揮でき、床面１を尿で汚すことが少ない。
【００２０】
吸水の詳しいメカニズムは、滑り止めシート８に落下した尿は、その位置の透水孔９を通して一部が吸水材５に吸水されが、この吸水孔９を溢れた尿は、隣接した透水孔９へ流れ込み、その位置の吸水材５に吸水される。この繰り返しで、広がり速度を遅くしながら、落下した尿が外側へ広範囲に広がり、各位置の透水孔９に満たされた少量づつの尿が表面シート４を通過してその位置の吸水材５に迅速に吸い取られているものと思われる。
【００２１】
さらに、この使用形態では、毛足が長いペットのお尻とその周辺の毛が、従来のように尿が染み込んで濡れた状態の表面シート４に接触するのではなくて、吸水性が吸水シート本体２Ａの表面シート４よりも小さな材質の滑り止めシート８に接触するため、排泄した尿によるペット自身の毛の汚染が極めて少ない。したがって、排泄のたびにペットのお尻とその周辺の毛を、濡れタオルなどで拭き取る処理も、簡単な拭き取り処理だけで清潔に保つことができる。
【００２２】
また、滑り止めシート８と吸水シート本体２Ａを別体にしたため、使用済みの吸水シート本体２Ａを廃棄し、使用済みの滑り止めシート８を洗浄乾燥して再使用することができる。
【００２３】
（実施の形態２）
図５は本発明の（実施の形態２）を示す。
上記の（実施の形態１）では、滑り止めシート８は吸水シート本体２Ａとは別体であったが、図５に示すように吸水シート本体２Ａの上に滑り止めシート８を予め貼り付けるなどして構成することもできる。詳しくは、接着剤で張り合わせる場合には、透水孔９の目を接着剤などで潰さないようにして張り合わせる。
【００２４】
この場合には、吸水シート本体２Ａを床面１に広げるだけの準備で、図１に示した使用形態でペットに排泄させることができる。
（実施の形態３）
図６は本発明の（実施の形態３）を示す。
【００２５】
上記の（実施の形態２）では、吸水シート本体２Ａの上に滑り止めシート８を貼り付けるなどして一体化したが、図６（ａ）（ｂ）に示すように、吸水シート本体２Ａの表面シート４に、表面の摩擦抵抗が吸水シート本体２Ａの表面より大きい複数個の滑り止め突部１２を形成することによっても同様の効果を期待できる。
【００２６】
具体的には、表面シート４の表面に、塩化ビニルなどの樹脂を印刷して、例えば図６（ｂ）に示すように、４ｍｍ〜６ｍｍ程度の間隔で仕上がり状態の直径が４ｍｍ程度の滑り止め突部１２を形成する。隣接した滑り止め突部１２との間には、樹脂の付着していない１ｍｍ〜２ｍｍ程度の径の透水孔９が形成される。滑り止め突部１２を発泡させることによって接触面積が大きくなってその摩擦係数はさらに大きくなる。
【００２７】
（実施の形態４）
図７は本発明の（実施の形態４）を示す。
上記の（実施の形態３）では、表面シート４の表面に滑り止め突部１２を形成したが、裏面シート３と吸水材５の間に突部１３を形成することによってもペットの転倒事故の発生を防止できる。
【００２８】
具体的には、図７（ａ）では、水を通さない防水性の裏面シート３の上に、例えば１ｃｍ〜数ｃｍ間隔で多数の突部１３を形成する。次に、図７（ｂ）（ｃ）に示すように突部１３の上に吸水材５を載せて、裏面シート３と透水性の表面シート４によって吸水材５を挟んでシート状に形成する。
【００２９】
なお、突部１３の形状と硬度は、ペット６が表面シート４の表面を踏んだときに、図７（ｄ）に示すように、隣接する突部１３の間に対応して表面シート４の表面に凹部１４が発生するものが少なくても必要である。
【００３０】
このように構成したため、突部１３の厚みによって表面シート４の表面に発生する凹部１４によって、見かけ上、表面シート４の表面のペット６の足裏に対する摩擦抵抗が大きくなるため、ペットの転倒事故の発生を低減できる。
【００３１】
なお、図７（ａ）〜（ｃ）では裏面シート３と吸水材５の間に突部を形成したが、吸水材５と表面シート４の間に同様にして突部１３を形成しても、ほぼ同様の効果を期待できる。
【産業上の利用可能性】
【００３２】
本発明はペット用吸収シートの高機能化に寄与できる。
【図面の簡単な説明】
【００３３】
【図１】本発明のペット用吸収シートの使用形態を示す斜視図
【図２】本発明の（実施の形態１）の使用状態の分解図
【図３】同実施の形態の要部の断面図
【図４】同実施の形態の滑り止めシートの製造工程を示す平面図
【図５】本発明の（実施の形態２）のペット用吸収シートの斜視図
【図６】本発明の（実施の形態３）のペット用吸収シートの断面図と平面図
【図７】本発明の（実施の形態４）のペット用吸収シートの製造工程を示す断面図
【図８】従来のペット用吸収シートの使用形態を示す斜視図
【図９】同従来例の要部の断面図
【符号の説明】
【００３４】
１    床面
２Ａ    吸収シート本体
３    裏面シート
４    表面シート
５    吸水材
７    ペット用吸収シート
８    滑り止めシート
９    透水孔
１０    芯材
１１    樹脂
１２    滑り止め突部
１３    突部
１４    突部１３の厚みによる凹部
【図１】
2007319101.tif 000003
【図２】
2007319101.tif 000004
【図３】
2007319101.tif 000005
【図４】
2007319101.tif 000006
【図５】
2007319101.tif 000007
【図６】
2007319101.tif 000008
【図７】
2007319101.tif 000009
【図８】
2007319101.tif 000010
【図９】
2007319101.tif 000011